(57)【要約】【課題】情報処理端末との間で近接無線通信を行うことが可能な通信装置において、消費電力を抑制する技術を提供する。【解決手段】近接無線通信を利用して情報処理端末からデータを取得し、取得したデータに応じた処理を実行する通信装置において、表示手段に表示されている表示画像に従った処理を実行する際に、近接無線通信を利用してデータを取得する必要がある場合（Ｓ１０２：ＹＥＳ）には、近接無線通信が有効化される（Ｓ１０４）。一方、表示手段に表示されている表示画像に従った処理を実行する際に、近接無線通信を利用してデータを取得する必要がない場合（Ｓ１０２：ＮＯ）には、近接無線通信が無効化される（Ｓ１２０）。これにより、近接無線通信が必要とされる場合にのみ、近接無線通信を有効化することが可能となり、消費電力を抑制することが可能となる。【選択図】図１１
2014197767.tif 000002
【特許請求の範囲】
【請求項１】
近接無線通信が可能な通信範囲内に存在する情報処理端末と近接無線通信を行う近接無線通信手段と、
画像を表示する表示手段と、
を備えた通信装置であって、
当該通信装置の作動を制御する制御装置を備え、
前記制御装置は、
前記近接無線通信手段による前記情報処理端末との近接無線通信を利用して、前記情報処理端末からデータを取得し、取得したデータに応じた処理を実行する実行部と、
前記表示手段に表示されている表示画像に従った処理が、前記実行部によって実行可能な処理であるか否かを判定する判定部と、
前記判定部により前記表示画像に従った処理が前記実行部によって実行可能な処理でないと判定された場合に、前記近接無線通信手段による通信機能を停止させ、前記表示画像に従った処理が前記実行部によって実行可能な処理であると判定された場合には、前記近接無線通信手段による通信機能を停止させない切換部と、
を有することを特徴とする通信装置。
【請求項２】
当該通信装置は、
前記近接無線通信手段による近接無線通信を行うことが許容された状態と、禁止された状態との切換を受け付ける受付手段を備え、
前記切換部は、
前記受付手段が前記近接無線通信手段による近接無線通信を行うことが許容された状態への切換を受け付けていることを条件として、前記判定部により前記表示画像に従った処理が前記実行部によって実行可能な処理でないと判定された場合に、前記近接無線通信手段による通信機能を停止させ、前記判定部により前記表示画像に従った処理が前記実行部によって実行可能な処理であると判定された場合には、前記近接無線通信手段による通信機能を停止させず、前記受付手段が前記近接無線通信手段による近接無線通信を行うことが禁止された状態への切り替えを受け付けていることを条件として、前記判定部により前記表示画像に従った処理が前記実行部によって実行可能な処理であると判定された場合であっても前記近接無線通信手段による通信機能を停止させることを特徴とする請求項１に記載の通信装置。
【請求項３】
前記制御装置は、
前記近接無線通信手段による通信機能が停止させられていない場合に、前記近接無線通信手段による通信機能が停止させられていないことをユーザに報知する報知部を有することを特徴とする請求項１又は請求項２に記載の通信装置。
【請求項４】
当該通信装置は、
所定のプログラムを特定する特定情報を記憶する第１記憶手段を備え、
前記制御装置は、
前記情報処理端末が当該通信装置にデータを送信するために必要なプログラムを特定する情報を、前記近接無線通信手段による前記情報処理端末との近接無線通信を利用して取得する取得部を有し、
前記判定部は、
前記取得部により取得した情報により特定されるプログラムが、前記第１記憶手段に記憶された特定情報により特定される前記所定プログラムと同じである場合、第１判定基準に基づいて前記表示画像に従った処理が前記実行部によって実行可能な処理であるか否かを判定し、
前記取得部により取得した情報により特定されるプログラムが、前記第１記憶手段に記憶された特定情報により特定される前記所定プログラムと異なる場合、前記第１判定基準とは異なる第２判定基準に基づいて前記表示画像に従った処理が前記実行部によって実行可能な処理であるか否かを判定することを特徴とする請求項１乃至請求項３の何れか１つに記載の通信装置。
【請求項５】
前記判定部は、
前記取得部が前記プログラムに関する情報を取得する前は、前記第１判定基準に基づいて、前記表示画像に従った処理が前記実行部によって実行可能な処理であるか否かを判定し、前記取得部がプログラムに関する情報を取得した後は、前記第２判定基準に基づいて、前記表示画像に従った処理が前記実行部によって実行可能な処理であるか否かを判定することを特徴とする請求項４に記載の通信装置。
【請求項６】
前記制御装置は、
前記取得部により取得した情報により特定されるプログラムが、前記第１記憶手段に記憶された特定情報により特定される前記所定プログラムと異なる場合、前記情報処理端末によるデータの送信を前記第１記憶手段に記憶された特定情報により特定される前記所定プログラムの実行により行うことを推奨する旨の画像を、前記表示手段に表示する表示部を有することを特徴とする請求項４又は請求項５に記載の通信装置。
【請求項７】
前記判定部は、
前記第１判定基準に基づいて、前記表示手段に表示されている表示画像に従った処理が前記実行部によって実行可能な処理であると判定し、前記第２判定基準に基づいて、当該表示画像に従った処理が前記実行部によって実行可能な処理ではないと判定することを特徴とする請求項４乃至請求項６のいずれか１つに記載の通信装置。
【請求項８】
当該通信装置は、
前記表示画像に従った処理と前記実行部によって実行可能な処理とを関連付けて記憶する第２記憶手段を備え、
前記判定部は、
前記第２記憶手段によって記憶されている前記表示画像に従った処理と前記実行部によって実行可能な処理とに基づいて、前記表示画像に従った処理が前記実行部によって実行可能な処理であるか否かを判定することを特徴とする請求項１乃至請求項７の何れか１つに記載の通信装置。
【請求項９】
近接無線通信が可能な通信範囲内に存在する情報処理端末と近接無線通信を行う近接無線通信手段と、
画像を表示する表示手段と、
を備えた通信装置のコンピュータが読み取り可能なプログラムであって、
前記近接無線通信手段による前記情報処理端末との近接無線通信を利用して、前記情報処理端末からデータを取得し、取得したデータに応じた処理を実行する実行部と、
前記表示手段に表示されている表示画像に従った処理が、前記実行部によって実行可能な処理であるか否かを判定する判定部と、
前記判定部により前記表示画像に従った処理が前記実行部によって実行可能な処理でないと判定された場合に、前記近接無線通信手段による通信機能を停止させ、前記表示画像に従った処理が前記実行部によって実行可能な処理であると判定された場合には、前記近接無線通信手段による通信機能を停止させない切換部と、
して前記コンピュータを機能させることを特徴とするプログラム。
【発明の詳細な説明】
【技術分野】
【０００１】
本発明は、情報処理端末と近接無線通信を行う通信装置及び、通信装置の作動を制御するためのプログラムに関する。
【背景技術】
【０００２】
近年、下記特許文献１に記載されているように、スマートフォン，タブレットＰＣ等の情報処理端末と近接無線通信を行うことが可能な通信装置の開発が進められている。近接無線通信では、情報処理端末を通信装置に近づけるだけで、データの送受信を行うことが可能である。
【先行技術文献】
【特許文献】
【０００３】
【特許文献１】特開２０１２−１６０２０７号公報
【発明の概要】
【発明が解決しようとする課題】
【０００４】
上述したように、近接無線通信は、非常に有益な技術であり、通信装置に用いることで、通信装置の実用性が向上する。しかしながら、近接無線通信の通信機能が、常時、有効な状態であると、電力の消費量が多くなる。つまり、近接無線に用いられる電波を、常時、送受信可能な状態であると、電力が無駄に消費される。本発明は、そのような事情に鑑みてなされたものであり、情報処理端末との間で近接無線通信を行うことが可能な通信装置において、消費電力を抑制する技術を提供する。
【課題を解決するための手段】
【０００５】
上記課題を解決するために、本発明に記載の通信装置は、近接無線通信が可能な通信範囲内に存在する情報処理端末と近接無線通信を行う近接無線通信手段と、画像を表示する表示手段とを備えた通信装置であって、当該通信装置の作動を制御する制御装置を備え、前記制御装置は、前記近接無線通信手段による前記情報処理端末との近接無線通信を利用して、前記情報処理端末からデータを取得し、取得したデータに応じた処理を実行する実行部と、前記表示手段に表示されている表示画像に従った処理が、前記実行部によって実行可能な処理であるか否かを判定する判定部と、前記判定部により前記表示画像に従った処理が前記実行部によって実行可能な処理でないと判定された場合に、前記近接無線通信手段による通信機能を停止させ、前記表示画像に従った処理が前記実行部によって実行可能な処理であると判定された場合には、前記近接無線通信手段による通信機能を停止させない切換部とを有することを特徴とする。
【０００６】
また、本発明に記載のプログラムは、近接無線通信が可能な通信範囲内に存在する情報処理端末と近接無線通信を行う近接無線通信手段と、画像を表示する表示手段とを備えた通信装置のコンピュータが読み取り可能なプログラムであって、前記近接無線通信手段による前記情報処理端末との近接無線通信を利用して、前記情報処理端末からデータを取得し、取得したデータに応じた処理を実行する実行部と、前記表示手段に表示されている表示画像に従った処理が、前記実行部によって実行可能な処理であるか否かを判定する判定部と、前記判定部により前記表示画像に従った処理が前記実行部によって実行可能な処理でないと判定された場合に、前記近接無線通信手段による通信機能を停止させ、前記表示画像に従った処理が前記実行部によって実行可能な処理であると判定された場合には、前記近接無線通信手段による通信機能を停止させない切換部として前記コンピュータを機能させることを特徴とする。
【発明の効果】
【０００７】
本発明に記載の通信装置及びプログラムでは、通信装置が、近接無線通信を利用して、情報処理端末からデータを取得し、取得したデータに応じた処理を実行する実行部を有している。そして、表示手段に表示されている表示画像に従った処理が、実行部によって実行可能な処理である場合には、近接無線通信手段による通信機能が停止されず、表示手段に表示されている表示画像に従った処理が、実行部によって実行可能な処理でない場合には、近接無線通信手段による通信機能が停止される。つまり、表示画像に従った処理を実行する際に、近接無線通信を利用する必要がある場合には、近接無線通信が有効化され、近接無線通信を利用する必要がない場合には、近接無線通信が無効化される。これにより、近接無線通信が必要とされる場合にのみ、近接無線通信を有効化することが可能となり、消費電力を抑制することが可能となる。
【０００８】
また、近接無線通信を行うことが許容された状態と禁止された状態との切換が可能であり、近接無線通信を行うことが許容された状態において、表示画像に従った処理を実行する際に、近接無線通信を利用する必要がある場合には、近接無線通信を有効化し、近接無線通信を利用する必要がない場合には、近接無線通信を無効化することが可能である。また、近接無線通信を行うことが禁止された状態では、表示画像に従った処理を実行する際に、近接無線通信を利用する必要がある場合であっても、近接無線通信を無効化することが可能である。これにより、近接無線通信を行うことが禁止された状態では、常に、近接無線通信を無効化することが可能となり、さらに、消費電力を抑制することが可能となる。
【０００９】
また、近接無線通信が有効化されている場合に、近接無線通信が有効化されていることをユーザに報知することが可能である。これにより、ユーザは、近接無線通信が有効化されていることを認識でき、操作性が向上する。
【００１０】
また、情報処理端末が通信装置にデータを送信するために必要なプログラムを特定する情報を、近接無線通信を利用して取得することが可能である。そして、取得した情報により特定されるプログラムが、通信装置に予め記憶されている所定プログラムと同じである場合、第１判定基準に基づいて、表示画像に従った処理を実行する際の近接無線通信の有無を判定し、取得した情報により特定されるプログラムが、上記所定プログラムと異なる場合、第２判定基準に基づいて、表示画像に従った処理を実行する際の近接無線通信の有無を判定することが可能である。これにより、通信装置に予め記憶されているプログラムと異なるプログラムを実行する情報処理端末に対して、表示画像に従った処理を実行する際の近接無線通信の有無を適切に判定することが可能となる。
【００１１】
また、情報処理端末からプログラムに関する情報を取得する前は、第１判定基準に基づいて、表示画像に従った処理を実行する際の近接無線通信の有無を判定し、情報処理端末からプログラムに関する情報を取得した後は、第２判定基準に基づいて、表示画像に従った処理を実行する際の近接無線通信の有無を判定することが可能である。これにより、種々のプログラムに対応して、表示画像に従った処理を実行する際の近接無線通信の有無を適切に判定することが可能となる。
【００１２】
また、取得した情報により特定されるプログラムが、通信装置に予め記憶されている所定プログラムと異なる場合、上記所定プログラムの実行を推奨する旨の画像を表示手段に表示することが可能である。これにより、上記所定プログラムを情報処理端末で実行させることが可能となり、表示画像に従った処理を実行する際の近接無線通信の有無を適切に判定することが可能となる。
【００１３】
また、第１判定基準に基づいて、表示画像に従った処理を実行する際に、近接無線通信を利用する必要があると判定し、第２判定基準に基づいて、表示画像に従った処理を実行する際に、近接無線通信を利用する必要がないと判定することが可能である。つまり、第１判定基準より第２判定基準を優先して、表示画像に従った処理を実行する際の近接無線通信の有無を判定することが可能である。これにより、通信装置に予め設定されているプログラムと異なるプログラムを実行する情報処理端末に対して、表示画像に従った処理を実行する際の近接無線通信の有無を適切に判定することが可能となる。
【００１４】
また、表示画像に従った処理と実行部によって実行可能な処理とを関連付けて記憶し、関連付けられて記憶された表示画像に従った処理と実行部によって実行可能な処理とに基づいて、表示画像に従った処理を実行する際の近接無線通信の有無を判定することが可能である。つまり、表示画像に従った処理と実行部によって実行可能な処理とをマップデータとして記憶し、マップデータを参照することで、表示画像に従った処理を実行する際の近接無線通信の有無を判定することが可能である。これにより、表示画像に従った処理を実行する際の近接無線通信の有無の判定が容易となる。
【図面の簡単な説明】
【００１５】
【図１】ＭＦＰ１０のブロック図である。
【図２】ＭＦＰ１０の斜視図である。
【図３】ＭＦＰ１０のパネル１６とボタン入力部１８とアンテナ部８０とを示す図である。
【図４】ＭＦＰ１０のパネル１６とボタン入力部１８とアンテナ部８０とを示す図である。
【図５】ＭＦＰ１０のパネル１６とボタン入力部１８とアンテナ部８０とを示す図である。
【図６】ＭＦＰ１０のパネル１６とボタン入力部１８とアンテナ部８０とを示す図である。
【図７】ＭＦＰ１０のパネル１６とボタン入力部１８とアンテナ部８０とを示す図である。
【図８】ＭＦＰ１０のパネル１６とボタン入力部１８とアンテナ部８０とを示す図である。
【図９】ＭＦＰ１０のパネル１６とボタン入力部１８とアンテナ部８０とを示す図である。
【図１０】表示画面とＮＦＣ通信に従った処理の有無との関係を示す表である。
【図１１】ＭＦＰ１０の動作フローチャートを示す図である。
【図１２】ＭＦＰ１０の動作フローチャートを示す図である。
【図１３】ＭＦＰ１０の動作フローチャートを示す図である。
【発明を実施するための形態】
【００１６】
＜実施形態＞
図１に、本願に係る実施形態として例示されるＭＦＰ（Multifunction Peripheralの略）（本発明の通信装置の一例）１０のブロック図を示し、図２にＭＦＰ１０の斜視図を示す。ＭＦＰ１０は、ＣＰＵ（Central Processing Unitの略）（本発明の制御装置およびコンピュータの一例）１２、記憶部（本発明の第１、第２記憶手段の一例）１４、パネル（本発明の表示手段の一例）１６、ボタン入力部１８、プリンタ２０、スキャナ２２、モデム２４、電話回線接続部２６、ＮＦＣ（Near Field Communicationの略）Ｉ／Ｆ（本発明の近接無線通信手段の一例）２８を主に備えている。これらの構成要素は、入出力ポート３０を介して互いに通信可能とされている。
【００１７】
パネル１６は、ＭＦＰ１０の各種機能を表示する表示面を備え、その表示面は感圧方式のタッチパネルとされている。ボタン入力部１８は、タッチセンサを有しており、入力媒体のボタン入力部１８への接近または接触を検出し、ユーザによるボタン操作を受け付ける。
【００１８】
プリンタ２０は、印刷を実行する部位である。スキャナ２２は、原稿をスキャンして、スキャンデータを作成する部位である。モデム２４は、ファクシミリ機能によって送信する原稿データを、電話回線網３２に伝送可能な信号に変調して電話回線接続部２６を介して送信したり、電話回線網３２から電話回線接続部２６を介して入力された信号を受信し、原稿データを復調するものである。
【００１９】
また、ＣＰＵ１２は、記憶部１４内の制御プログラム（本発明のプログラムの一例）５０に従って処理を実行する。制御プログラム５０は、後に詳しく説明するが、無線通信を利用して、ファクシミリ通信等を実行するためのプログラムである。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。
【００２０】
また、記憶部１４は、データ記憶領域５２を備える。データ記憶領域５２は、パネル１６に表示するための画像の画像データ、制御プログラム５０の実行に必要なデータなどを記憶する領域である。
【００２１】
ＮＦＣＩ／Ｆ２８は、ＩＳＯ／ＩＥＣ２１４８１またはＩＳＯ／ＩＥＣ１８０９２の国際標準規格に基づいて、携帯電話７０（本発明の情報処理端末の一例）との間で、ＮＦＣ方式の無線通信６０を行うことが可能とされている。すなわち、ＭＦＰ１０は、ＮＦＣ方式の無線通信６０を行える状態になれば、携帯電話７０と直接、データ通信することが可能になる。
【００２２】
＜ＭＦＰの動作＞
ＭＦＰ１０は、上述したように、ＮＦＣＩ／Ｆ２８を介して、ＮＦＣ方式の無線通信（以下、ＮＦＣ通信と略して記載する場合もある）６０を行うことが可能とされており、携帯電話７０と直接、データ通信することが可能とされている。詳しくは、ＮＦＣＩ／Ｆ２８は、携帯電話７０とのＮＦＣ通信６０に用いられる電波の送受信を行うアンテナ部８０を有している。ＭＦＰ１０の躯体８２の上面には、図２に示すように、トップカバー８６が設けられており、そのトップカバー８６にアンテナ部８０が配設されている。
【００２３】
アンテナ部８０は、図３に示すように、トップカバー８６の右側に配設されており、トップカバー８６の左側には、パネル１６が配設されている。トップカバー８６内には、アンテナ部８０に対応してＬＥＤ（図示省略）が配設されており、そのＬＥＤの点灯により、図４に示すように、アンテナ部８０に、「ＮＦＣアンテナ」の文字が表示される。一方、ＬＥＤの消灯により、図３に示すように、「ＮＦＣアンテナ」の文字が消える。また、トップカバー８６には、アンテナ部８０とパネル１６との間に、ボタン入力部１８の３個の操作キー１００，１０２，１０４が配設されている。
【００２４】
ＭＦＰ１０と携帯電話７０との間でＮＦＣ通信６０を確立させる際に、ユーザは、携帯電話７０をアンテナ部８０に接近させる。携帯電話７０のアンテナ部８０への接近により、携帯電話７０とアンテナ部８０との距離が、携帯電話７０の無線通信の通信範囲内となると、携帯電話７０とアンテナ部８０、つまり、ＭＦＰ１０との間で、ＮＦＣ通信が確立する。これにより、ＭＦＰ１０は、ＮＦＣ通信を利用して、ファクシミリ番号，画像等のデータの送受信等を携帯電話７０と行うことが可能となる。
【００２５】
ＭＦＰ１０では、ＮＦＣ通信を利用したファクシミリ通信および、ＮＦＣ通信を利用した印刷を行うことが可能である。ＮＦＣ通信を利用したファクシミリ通信では、ファクシミリ番号，ファクシミリ通信により送信すべき画像等のデータが、携帯電話７０から、ＮＦＣ通信を利用してＭＦＰ１０に送信される。また、ＮＦＣ通信を利用した印刷では、印刷すべき画像等のデータが、携帯電話７０から、ＮＦＣ通信を利用してＭＦＰ１０に送信される。そして、ＭＦＰ１０において、受信したデータに基づいて、ファクシミリ通信処理，印刷処理等が行われる。以下に、ＮＦＣ通信を利用したファクシミリ通信について、詳しく説明する。
【００２６】
ＭＦＰ１０のパネル１６には、通常時において、ＮＦＣ通信を利用したＭＦＰ１０の作動モードを選択するための画面（以下、モード選択画面と略して記載する場合もある）（本発明の表示画像の一例）が表示されている。モード選択画面には、図３に示すように、「モードを選択して下さい」と表示されている。ＮＦＣ通信を利用したＭＦＰ１０の作動モードとは、ＭＦＰ１０がＮＦＣ通信を利用した処理を行う際の作動モードであり、ＮＦＣ通信を利用したファクシミリ通信を行うための作動モードと，ＮＦＣ通信を利用した印刷を行うための作動モードとがある。操作キー１０２は、ＮＦＣ通信を利用したファクシミリ通信を行うための作動モードを選択するためのボタンであり、操作キー１０４は、ＮＦＣ通信を利用した印刷を行うための作動モードを選択するためのボタンである。このため、ユーザが、ＮＦＣ通信を利用したファクシミリ通信の実行を望む場合には、モード選択画面が表示されている際に、操作キー１０２を操作する。
【００２７】
ちなみに、モード選択画面が表示されている際に行われるユーザ操作は、作動モードを選択するためのボタン操作であり、ユーザが、携帯電話７０をアンテナ部８０に接近させることはない。このため、モード選択画面が表示されている際には、ＮＦＣ通信を行うことができない状態、つまり、ＮＦＣ通信が無効化された状態とされている。ＮＦＣ通信が無効化された状態では、ユーザが携帯電話７０をアンテナ部８０に接近させても、ＮＦＣ通信は確立しない。これにより、ＮＦＣ通信の確立が無用である場合には、ＮＦＣ通信が無効化され、電力消費の抑制を図ることが可能となる。さらに、ＮＦＣ通信が無効化されている際には、アンテナ部８０に対応して設けられているＬＥＤは消灯される。これにより、ＮＦＣ通信が無効化されていることを、ユーザに報知することが可能となり、利便性が向上する。
【００２８】
ユーザにより、操作キー１０２が操作されると、パネル１６には、図４に示すように、「Ｆａｘ番号を送信するにはタッチして下さい」と表示される。つまり、ファクシミリ番号を送信するための画面（以下、番号送信画面と略して記載する場合もある）（本発明の表示画像の一例）が、パネル１６に表示される。番号送信画面が表示されると、ユーザは、その画面表示に従って、携帯電話７０をアンテナ部８０に接近させると想定される。このため、番号送信画面がパネル１６に表示される際には、ＮＦＣ通信を行うことが可能な状態、つまり、ＮＦＣ通信が有効化された状態にされる。ＮＦＣ通信が有効化された状態では、ユーザが携帯電話７０をアンテナ部８０に接近させると、ＮＦＣ通信が確立する。つまり、番号送信画面がパネル１６に表示されている際に、ユーザが携帯電話７０をアンテナ部８０に接近させ、ＮＦＣ通信が確立した場合には、ＮＦＣ通信を利用して、携帯電話７０からＭＦＰ１０にファクシミリ番号に関するデータが送信される。なお、ＮＦＣ通信が有効化されている際には、アンテナ部８０に対応して設けられているＬＥＤは点灯される。これにより、ＮＦＣ通信が有効化されていることを、ユーザに報知することが可能となり、利便性が向上する。
【００２９】
ＭＦＰ１０は、ファクシミリ番号に関するデータを受信すると、そのデータをデータ記憶領域５２に記憶し、パネル１６に、図５に示すように、「設定変更するにはタッチして下さい」と表示する。つまり、ファクシミリ通信の設定を変更するための画面（以下、設定変更画面と略して記載する場合もある）（本発明の表示画像の一例）が、パネル１６に表示される。設定変更画面が表示されると、ユーザは、その画面表示に従って、携帯電話７０をアンテナ部８０に接近させると想定される。このため、設定変更画面がパネル１６に表示される際には、ＮＦＣ通信が有効化された状態にされる。これにより、設定変更画面がパネル１６に表示されている際に、ユーザが携帯電話７０をアンテナ部８０に接近させ、ＮＦＣ通信が確立した場合には、ＮＦＣ通信を利用して、携帯電話７０からＭＦＰ１０にファクシミリ通信の設定に関するデータが送信される。
【００３０】
ＭＦＰ１０は、ファクシミリ通信の設定に関するデータを受信すると、そのデータをデータ記憶領域５２に記憶し、パネル１６に、図６に示すように、「画像を送信するにはタッチして下さい」と表示する。つまり、ファクシミリ通信に用いられる画像を送信するための画面（以下、画像送信画面と略して記載する場合もある）（本発明の表示画像の一例）が、パネル１６に表示される。画像送信画面が表示されると、ユーザは、その画面表示に従って、携帯電話７０をアンテナ部８０に接近させると想定される。このため、画像送信画面がパネル１６に表示される際には、ＮＦＣ通信が有効化された状態にされる。これにより、画像送信画面がパネル１６に表示されている際に、ユーザが携帯電話７０をアンテナ部８０に接近させ、ＮＦＣ通信が確立した場合には、ＮＦＣ通信を利用して、携帯電話７０からＭＦＰ１０に画像データが送信される。
【００３１】
ＭＦＰ１０は、ファクシミリ通信用の画像データを受信すると、そのデータをデータ記憶領域５２に記憶し、パネル１６に、図７に示すように、「Ｆａｘ送信を実行するにはタッチして下さい」と表示する。つまり、ファクシミリ通信を実行するための画面（以下、通信実行画面と略して記載する場合もある）（本発明の表示画像の一例）が、パネル１６に表示される。通信実行画面が表示されると、ユーザは、その画面表示に従って、携帯電話７０をアンテナ部８０に接近させると想定される。このため、通信実行画面がパネル１６に表示される際には、ＮＦＣ通信が有効化された状態にされる。これにより、通信実行画面がパネル１６に表示されている際に、ユーザが携帯電話７０をアンテナ部８０に接近させ、ＮＦＣ通信が確立した場合には、ＮＦＣ通信を利用して、携帯電話７０からＭＦＰ１０に、ファクシミリ通信の実行を指示する旨の指示データが送信される。
【００３２】
ＭＦＰ１０は、指示データを受信すると、データ記憶領域５２に記憶されている各データに基づいて、ファクシミリ通信を実行する。詳しくは、データ記憶領域５２に記憶されているファクシミリ通信用の画像データを、データ記憶領域５２に記憶されている設定に従って、データ記憶領域５２に記憶されているファクシミリ番号に送信する。これにより、ＮＦＣ通信を利用したファクシミリ通信が完了する。このように、ＭＦＰ１０では、表示画面に応じたＮＦＣ通信の有効化と無効化との切換が行われている。つまり、表示画面に従った処理に、ＮＦＣ通信を利用した処理が必要でない場合には、ＮＦＣ通信が無効化され、表示画面に従った処理に、ＮＦＣ通信を利用した処理が必要である場合には、ＮＦＣ通信が有効化されている。これにより、ＮＦＣ通信が実行されない場合に、ＮＦＣ通信を無効化させることが可能となり、消費電力を抑制することが可能となる。
【００３３】
また、上記ＮＦＣ通信を利用したファクシミリ通信は、制御プログラム５０の実行により行われるが、制御プログラム５０に対応したアプリケーション（以下、対応アプリケーションと略して記載する場合もある）（本発明の所定プログラムの一例）が、携帯電話７０で実行されていない場合には、ＮＦＣ通信が確立しても、携帯電話７０からＭＦＰ１０にデータが送信されない場合がある。詳しくは、対応アプリケーションには、番号送信画面表示時におけるファクシミリ番号に関するデータの送信、設定変更画面表示時におけるファクシミリ設定の変更に関するデータの送信、画像送信画面表示時におけるファクシミリ通信用の画像データの送信、通信実行画面表示時における指示データの送信がプログラミングされている。このため、対応アプリケーションが実行されている携帯電話７０では、番号送信画面、設定変更画面、画像送信画面、通信実行画面がパネル１６に表示されている際に、ＮＦＣ通信が確立すると、各種データが携帯電話７０からＭＦＰ１０に送信され、上記ＮＦＣ通信を利用したファクシミリ通信が行われる。
【００３４】
一方、対応アプリケーションと異なるアプリケーション（以下、非対応アプリケーションと略して記載する場合もある）には、番号送信画面表示時におけるファクシミリ番号に関するデータの送信、画像送信画面表示時におけるファクシミリ通信用の画像データの送信、通信実行画面表示時における指示データの送信はプログラミングされているが、設定変更画面表示時におけるファクシミリ設定の変更に関するデータの送信はプログラミングされていない。このため、非対応アプリケーションが実行されている携帯電話７０では、番号送信画面、画像送信画面、通信実行画面がパネル１６に表示されている際に、ＮＦＣ通信が確立すると、各種データが携帯電話７０からＭＦＰ１０に送信される。しかし、設定変更画面がパネル１６に表示されている際に、ＮＦＣ通信が確立しても、設定変更に関するデータは、携帯電話７０からＭＦＰ１０に送信されず、設定変更を行うことができない。
【００３５】
このため、非対応アプリケーションが実行されている携帯電話７０とのＮＦＣ通信を利用したファクシミリ通信では、図８に示すように、設定変更画面に「設定変更するには設定値を入力してください」と表示される。これにより、ユーザは、設定変更を行うためには、ボタン操作により設定値を入力する必要があることを認識し、設定値の変更を行うことが可能となる。また、この設定変更画面が表示されている際に行われるユーザ操作は、設定値を入力するためのボタン操作であり、ユーザが、携帯電話７０をアンテナ部８０に接近させることはない。このため、この設定画面が表示されている際には、ＮＦＣ通信が無効化された状態とされており、消費電力の抑制が図られている。なお、ＮＦＣ通信の無効化により、アンテナ部８０に対応して設けられているＬＥＤは消灯される。
【００３６】
ちなみに、携帯電話７０で実行されているアプリケーションの判定は、ＮＦＣ通信を利用して、携帯電話７０からＭＦＰ１０に送信される情報に基づいて行われる。詳しくは、携帯電話７０とＭＦＰ１０との間でＮＦＣ通信が確立すると、携帯電話７０で実行されているアプリケーションを特定するための情報が、ＮＦＣ通信を利用して、携帯電話７０からＭＦＰ１０に送信される。ＭＦＰ１０では、受信した情報に基づいて、携帯電話７０で実行されているアプリケーションが特定される。そして、携帯電話７０で実行されているアプリケーションが、対応アプリケーションと非対応アプリケーションとの何れのアプリケーションであるかを判定し、上述したように、設定変更画面での表示態様および、ＮＦＣ通信の有効化と無効化との切換を行う。
【００３７】
さらに、ＭＦＰ１０では、携帯電話７０で非対応アプリケーションが実行されていると判定された場合に、対応アプリケーションの実行を促すための画面が、パネル１６に表示される。詳しくは、図９に示すように、「対応アプリケーション実行可能？」とパネル１６に表示し、さらに、実行可能ボタン１１０および実行不能ボタン１１２も表示する。実行可能ボタン１１０は、対応アプリケーションが携帯電話７０にインストールされており、携帯電話７０で対応アプリケーションの実行が可能であることを示すためのボタンである。つまり、実行可能ボタン１１０が操作された場合には、再度、携帯電話７０で実行されているアプリケーションの判定が行われ、携帯電話７０で対応アプリケーションが実行されていると判定された場合には、対応アプリケーションに応じた表示態様および、ＮＦＣ通信の有効化と無効化との切換が行われる。一方、実行不能ボタン１１２は、対応アプリケーションが携帯電話７０にインストールされておらず、携帯電話７０で対応アプリケーションの実行が不可能であることを示すためのボタンである。このため、実行不能ボタン１１２が操作された場合には、非対応アプリケーションに応じた表示態様および、ＮＦＣ通信の有効化と無効化との切換が行われる。
【００３８】
また、表示画面に応じたＮＦＣ通信の有効化と無効化との切換は、アプリケーション毎に設定されたマップデータに基づいて行われる。具体的には、データ記憶領域５２には、図１０に相当するマップデータ（対応アプリケーションに対応するマップデータが、本発明の第１判定基準の一例，非対応アプリケーションに対応するマップデータが、本発明の第２判定基準の一例）が記憶されている。そのマップデータには、表示画面に従った処理とＮＦＣ通信を利用した処理とが、アプリケーション毎に関連付けて記憶されている。つまり、表示画面がパネル１６に表示されている際にＮＦＣ通信に基づく処理が必要であるか否かが、アプリケーション毎に記憶されている。例えば、対応アプリケーションおよび非対応アプリケーションの何れにおいても、モード選択画面に従った処理は、操作キー１０２，１０４のボタン操作であり、ＮＦＣ通信を利用した処理は必要無い。また、対応アプリケーションおよび非対応アプリケーションの何れにおいても、番号送信画面に従った処理は、ＮＦＣ通信を利用したファクシミリ番号に関するデータの送受信である。つまり、番号送信画面に従った処理には、対応アプリケーションおよび非対応アプリケーションの何れにおいても、ＮＦＣ通信を利用した処理が必要である。さらに、対応アプリケーションにおいて、設定変更画面に従った処理は、ＮＦＣ通信を利用した設定変更に関するデータの送受信であり、非対応アプリケーションにおいて、設定変更画面に従った処理は、設定値入力のボタン操作である。このため、設定変更画面に従った処理には、対応アプリケーションにおいて、ＮＦＣ通信を利用した処理が必要であり、非対応アプリケーションにおいて、ＮＦＣ通信を利用した処理が必要でない。このように、図１０に相当するマップデータを参照することで、表示画面がパネル１６に表示されている際にＮＦＣ通信に基づく処理が必要であるか否かを適切に判定し、表示画面に応じたＮＦＣ通信の有効化と無効化との切換を、アプリケーションの毎に適切に行うことが可能となる。
【００３９】
なお、ＭＦＰ１０では、ＮＦＣ通信を行うことが許可された状態と禁止された状態とで切換可能とされている。詳しくは、操作キー（本発明の受付手段の一例）１００は、ＮＦＣ通信を行うことが許可された状態と禁止された状態とで切り換えるためのボタンであり、操作キー１００が操作されることで、ＮＦＣ通信を行うことが許可された状態と禁止された状態とで切り換えられる。ＮＦＣ通信を行うことが禁止された状態では、表示画面に関わらず、ＮＦＣ通信を行うことはできず、ＮＦＣ通信を行うことが許可された状態では、表示画面に応じてＮＦＣ通信を行うことが可能である。つまり、上記ＮＦＣ通信を利用したファクシミリ通信は、ＮＦＣ通信を行うことが許容された状態で行われ、ＮＦＣ通信を行うことが禁止された状態では、行うことができない。
【００４０】
＜制御プログラム＞
上述したＮＦＣ通信を利用したファクシミリ通信は、ＣＰＵ１２において制御プログラム５０が実行されることによって行われる。具体的に、図１１乃至図１３を用いて、表示画面に応じてＮＦＣ通信の無効化と有効化とを切り換えるためのフローを説明する。なお、本プログラムは，ＭＦＰ１０の電源がオンされた場合に繰返し実行される。
【００４１】
制御プログラム５０では、まず、ＮＦＣ通信を行うことが許可された状態であるか否かが、ＣＰＵ１２によって判断される（ステップ（以下、「Ｓ」と略す）１００）。つまり、操作キー１００の操作によりＮＦＣ通信を行うことが許可された状態に切り換えられているか否かが判断される。ＮＦＣ通信を行うことが許可された状態でない場合には（Ｓ１００のＮＯ）、Ｓ１００の処理が繰り返される。
【００４２】
一方、ＮＦＣ通信を行うことが許可された状態である場合には（Ｓ１００のＹＥＳ）、表示画面に従った処理にＮＦＣ通信を利用した処理が必要であるか否かが、ＣＰＵ１２によって判断される（Ｓ１０２）。詳しくは、図１０に相当するマップデータを用いて、対応アプリケーションに対して、各表示画面がパネル１６に表示されている際に、ＮＦＣ通信を利用した処理が必要であるか否かが判断される。つまり、モード選択画面がパネル１６に表示されている際には、ＮＦＣ通信を利用した処理が必要でないと判断され、番号送信画面，設定変更画面，画像送信画面，通信実行画面がパネル１６に表示されている際には、ＮＦＣ通信を利用した処理が必要であると判断される。
【００４３】
各表示画面がパネル１６に表示されている際に、ＮＦＣ通信を利用した処理が必要である場合には（Ｓ１０２のＹＥＳ）、ＮＦＣ通信が有効化される（Ｓ１０４）。そして、アンテナ部８０に対応して設けられているＬＥＤが点灯される（Ｓ１０６）。次に、ＮＦＣ通信が検出されたか否かが、ＣＰＵ１２によって判断される（Ｓ１０７）。ＮＦＣ通信が検出されていない場合には（Ｓ１０７のＮＯ）、Ｓ１２８に進む。
【００４４】
一方、ＮＦＣ通信が検出された場合には（Ｓ１０７のＹＥＳ）、ＮＦＣ通信を利用して、各種データが、携帯電話７０からＭＦＰ１０に送信され、ＭＦＰ１０は、各種データを取得する（Ｓ１０８）。具体的には、番号送信画面がパネル１６に表示されている際には、ファクシミリ番号に関するデータ、設定送信画面がパネル１６に表示されている際には、ファクシミリ設定に関するデータ、画像送信画面がパネル１６に表示されている際には、ファクシミリ通信用の画像データ、通信実行画面がパネル１６に表示されている際には、ファクシミリ通信の指示データを取得する。
【００４５】
次に、ＮＦＣ通信を利用して、携帯電話７０で実行されているアプリケーションを特定するための情報が、携帯電話７０からＭＦＰ１０に送信され、ＭＦＰ１０は、その情報を取得する（Ｓ１０９）。そして、その情報に基づいて、携帯電話７０で実行されているアプリケーションが特定され、携帯電話７０で実行されているアプリケーションが対応アプリケーションであるか否かが、ＣＰＵ１２によって判断される（Ｓ１１０）。詳しくは、対応アプリケーションを特定するための特定情報が、記憶部１４に記憶されており、その特定情報と、Ｓ１０９で取得された情報とが同じアプリケーションを示す場合に、携帯電話７０で実行されているアプリケーションが対応アプリケーションであると判断される。また、特定情報と、Ｓ１０９で取得された情報とが異なるアプリケーションを示す場合、および、Ｓ１０９で情報を取得できなかった場合には、携帯電話７０で実行されているアプリケーションが対応アプリケーションでないと判断される。
【００４６】
携帯電話７０で実行されているアプリケーションが対応アプリケーションでない場合、つまり、非対応アプリケーションである場合には（Ｓ１１０のＮＯ）、図９に示す画面がパネル１６に表示される（Ｓ１１２）。つまり、「対応アプリケーション実行可能？」とパネル１６に表示され、さらに、実行可能ボタン１１０および実行不能ボタン１１２も表示される。次に、携帯電話７０で対応アプリケーションを実行することが可能であるか否かが、ＣＰＵ１２によって判断される（Ｓ１１４）。詳しくは、実行可能ボタン１１０が操作された場合には、携帯電話７０で対応アプリケーションを実行することが可能であると判断され、実行不能ボタン１１２が操作された場合には、携帯電話７０で対応アプリケーションを実行することができないと判断される。
【００４７】
携帯電話７０で対応アプリケーションを実行することが可能である場合には（Ｓ１１４のＹＥＳ）、Ｓ１０８に戻る。一方、携帯電話７０で対応アプリケーションを実行することができない場合には（Ｓ１１４のＮＯ）、各表示画面がパネル１６に表示されている際に、ＮＦＣ通信を利用した処理が必要であるか否かを判定するためのマップデータが、対応アプリケーションに対するマップデータから、非対応アプリケーションに対するマップデータに変更される（Ｓ１１６）。
【００４８】
そして、表示画面に従った処理にＮＦＣ通信を利用した処理が必要であるか否かが、ＣＰＵ１２によって判断される（Ｓ１１８）。詳しくは、図１０に相当するマップデータを用いて、非対応アプリケーションに対して、各表示画面がパネル１６に表示されている際に、ＮＦＣ通信を利用した処理が必要であるか否かが判断される。つまり、モード選択画面，設定変更画面がパネル１６に表示されている際には、ＮＦＣ通信を利用した処理が必要でないと判断され、番号送信画面，画像送信画面，通信実行画面がパネル１６に表示されている際には、ＮＦＣ通信を利用した処理が必要であると判断される。
【００４９】
各表示画面がパネル１６に表示されている際に、ＮＦＣ通信を利用した処理が必要でない場合には（Ｓ１１８のＮＯ）、ＮＦＣ通信が無効化される（Ｓ１２０）。そして、アンテナ部８０に対応して設けられているＬＥＤが消灯される（Ｓ１２１）。次に、パネル１６に表示されている表示画面が遷移したか否かが、ＣＰＵ１２によって判断される（Ｓ１２２）。パネル１６に表示されている表示画面が遷移していない場合には（Ｓ１２２のＮＯ）、Ｓ１２２の処理が繰り返される。一方、パネル１６に表示されている表示画面が遷移した場合には（Ｓ１２２のＹＥＳ）、Ｓ１０２に戻る。
【００５０】
また、Ｓ１１８で各表示画面がパネル１６に表示されている際に、ＮＦＣ通信を利用した処理が必要である場合には（Ｓ１１８のＹＥＳ）、ＮＦＣ通信によって取得した各種データ、つまり、Ｓ１０８で取得したデータに応じた処理を実行する（Ｓ１２６）。具体的には、ファクシミリ番号に関するデータ，ファクシミリ設定に関するデータ，ファクシミリ通信用の画像データを取得した場合には、各データをデータ記憶領域５２に記憶する。また、ファクシミリ通信の指示データを取得した場合には、データ記憶領域５２に記憶されている各データに基づいて、ファクシミリ通信を実行する。
データ記憶領域５２に記憶されている各データに基づいて、ファクシミリ通信を実行する。
【００５１】
次に、パネル１６に表示されている表示画面が遷移したか否かが、ＣＰＵ１２によって判断される（Ｓ１２８）。パネル１６に表示されている表示画面が遷移していない場合には（Ｓ１２８のＮＯ）、Ｓ１０７に戻る。一方、パネル１６に表示されている表示画面が遷移した場合には（Ｓ１２８のＹＥＳ）、Ｓ１０２に戻る。
【００５２】
また、Ｓ１１０で携帯電話７０で実行されているアプリケーションが対応アプリケーションである場合には（Ｓ１１０のＹＥＳ）、各表示画面がパネル１６に表示されている際に、ＮＦＣ通信を利用した処理が必要であるか否かを判定するためのマップデータが、非対応アプリケーションに対するマップデータから、対応アプリケーションに対するマップデータに変更される（Ｓ１２４）。なお、ＮＦＣ通信を利用した処理が必要であるか否かを判定するためのマップデータが、対応アプリケーションに対するマップデータである場合には、対応アプリケーションに対するマップデータに維持される。そして、Ｓ１２６に進み、以降の処理が実行される。
【００５３】
また、Ｓ１０２で各表示画面がパネル１６に表示されている際に、ＮＦＣ通信を利用した処理が必要でない場合には（Ｓ１０２のＮＯ）、Ｓ１２０に進み、以降の処理が実行される。
【００５４】
＜ＣＰＵの機能構成＞
上記制御プログラム５０を実行するＣＰＵ１２は、それの実行処理に鑑みれば、図１に示すような機能構成を有するものと考えることができる。図から解るように、ＣＰＵ１２は、実行部１３０（本発明の実行部の一例）と、判定部１３２（本発明の判定部の一例）と、切換部１３４（本発明の切換部の一例）と、報知部１３６（本発明の報知部の一例）と、取得部１３８（本発明の取得部の一例）と、表示部１４０（本発明の表示部の一例）とを有している。 
【００５５】
実行部１３０は、上記制御プログラム５０のＳ１２６の処理を実行する機能部、つまり、ＮＦＣ通信に従った処理を実行する機能部である。判定部１３２は、上記制御プログラム５０のＳ１０２，Ｓ１１８の処理を実行する機能部、つまり、表示画面に従った処理にＮＦＣ通信に従った処理が必要であるか否かを判定する機能部である。切換部１３４は、上記制御プログラム５０のＳ１０４，Ｓ１２０の処理を実行する機能部、つまり、表示画面に応じてＮＦＣ通信の無効化と有効化とを切り換える機能部である。報知部１３６は、上記制御プログラム５０のＳ１０６の処理を実行する機能部、つまり、ＮＦＣ通信が有効である際にＬＥＤを点灯する機能部である。取得部１３８は、上記制御プログラム５０のＳ１０９の処理を実行する機能部、つまり、ＮＦＣ通信を利用して、携帯電話７０で実行されているアプリケーションに関するデータを取得する機能部である。表示部１４０は、上記制御プログラム５０のＳ１１２の処理を実行する機能部、つまり、携帯電話７０での対応アプリケーションの実行の可否を問う画面を、パネル１６に表示する機能部である。
【００５６】
＜変形例＞
なお、本発明は、上記実施形態に限定されるものではなく、当業者の知識に基づいて種々の変更、改良を施した種々の態様で実施することが可能である。具体的には、例えば、上記実施形態では、ＮＦＣ通信を利用したファクシミリ通信を実行する際に、表示画面に応じてＮＦＣ通信の無効化と有効化との切換が行われているが、ＮＦＣ通信を利用した印刷等の種々の処理を実行する際に、表示画面に応じてＮＦＣ通信の無効化と有効化との切換が行われてもよい。
【００５７】
また、例えば、上記実施形態では、携帯電話７０とＮＦＣ通信を行う通信装置として、ＭＦＰ１０が採用されているが、印刷機、ＰＣ（Personal computerの略）等の各種装置が採用されてもよい。
【００５８】
また、ＭＦＰ１０とＮＦＣ通信を行う情報処理端末として、携帯電話７０が採用されているが、タブレット機器、スマートフォン等が採用されてもよい。
【００５９】
また、上記実施形態では、近接無線通信として、ＮＦＣ方式の無線通信が採用されているが、Ｔｒａｎｓｆｅｒ  Ｊｅｔ方式等の無線通信を採用することも可能である。
【００６０】
また、上記実施例では、ＣＰＵ１２によって図１１乃至図１３に示す処理が実行される例を説明したが、これら処理は、ＣＰＵ１２に限らず、ＡＳＩＣや他の論理集積回路により実行されてもよいし、これら処理が、ＣＰＵ１２やＡＳＩＣ、他の論理集積回路が協働することにより実行されてもよい。
【符号の説明】
【００６１】
１０：ＭＦＰ（通信装置）
１２：ＣＰＵ（制御装置）（コンピュータ）
１６：パネル（表示手段）
２８：ＮＦＣＩ／Ｆ（近接無線通信手段）
５０：制御プログラム（プログラム）
５２：データ記憶領域（第１，第２記憶手段）
７０：携帯電話（情報処理端末）
１００：操作キー（受付手段）
１３０：実行部
１３２：判定部
１３４：切換部
１３６：報知部
１３８：取得部
１４０：表示部
【図１】
2014197767.tif 000003
【図２】
2014197767.tif 000004
【図３】
2014197767.tif 000005
【図４】
2014197767.tif 000006
【図５】
2014197767.tif 000007
【図６】
2014197767.tif 000008
【図７】
2014197767.tif 000009
【図８】
2014197767.tif 000010
【図９】
2014197767.tif 000011
【図１０】
2014197767.tif 000012
【図１１】
2014197767.tif 000013
【図１２】
2014197767.tif 000014
【図１３】
2014197767.tif 000015